【事件の表示】
　特許第３４０２３８９号「電源装置、放電灯点灯装置および照明装置」の請求項１、３、４に係る特許に対する特許異議の申立てについて、次のとおり決定する。
【結　論】
　訂正を認める。
　特許第３４０２３８９号の請求項１、３、４に係る特許を取り消す。
【理　由】
１．手続の経緯
  本件特許は、平成５年９月３０日（優先権主張：平成５年３月３１日）の出願であって、平成１５年２月２８日付けで設定登録された後、異議申立人三菱電機株式会社により特許異議の申し立てがなされ、取消し理由が通知され、その指定期間内である平成１６年４月１９日に訂正請求がなされたものである。
　
２．訂正の適否
（１）訂正の内容
 訂正事項ａ　
　特許請求の範囲の請求項１において、「・・・前記第１の整流素子および前記抵抗を介して放電することにより、電力を供給される補助電源装置」を、「・・・前記第１の整流素子および前記抵抗を介して放電し、前記スイッチング装置の他方がオンした場合には、前記スナバ回路のコンデンサおよび第２の整流素子を介して前記第２の整流素子の出力を平滑するコンデンサを充電し、電力を供給される補助電源装置」と訂正する。
訂正事項ｂ
　「段落０００９」において、「【課題を解決するための手段】上記目的を達成するため、請求項１に記載の・・・電源装置である。」を、「【課題を解決するための手段】上記目的を達成するため、請求項１に記載の・・前記第１の整流素子および前記抵抗を介して放電し、前記スイッチング装置の他方がオンした場合には、前記スナバ回路のコンデンサおよび第２の整流素子を介して前記第２の整流素子の出力を平滑するコンデンサを充電し、・・・電源装置である。」と訂正する。
　
（２）訂正の目的の適否、新規事項の有無、及び特許請求の範囲の拡張・変更の存否
　上記訂正事項ａは、特許請求の範囲の減縮を目的とした明細書の訂正に該当し、また、上記訂正事項ｂは訂正事項ａに伴って付随的に生じる記載の不備を解消するものであって、明りょうでない記載の釈明を目的とする訂正に該当し、いずれも明細書の段落００２９及び第１，第３図に記載されている事項であるから、新規事項の追加に該当せず、実質上特許請求の範囲を拡張し、又は変更するものでもない。
（３）　むすび
　よって、上記訂正は、特許法第１２０条の４第３項で準用する同法第１２６条第２，３項の規定に適合するので、当該訂正を認める。
　
３．本件発明
　上記のとおり訂正が認められるから、本件特許第３４０２３８９号の請求項１，３，４に係る発明（以下「本件発明１，３，４」という。）は、訂正明細書の請求項１，３，４に記載された事項により特定される次のとおりのものと認める。
   【請求項１】直流電源装置の出力端間に互いに直列的に設けられ交互にオンオフする一対のスイッチング装置と；
　コンデンサ、抵抗および第１の整流素子を直列に含み、前記コンデンサを直流電源装置の正極側にするとともに、前記第１の整流素子の導通方向を前記スイッチング装置の導通方向と逆向きにして前記スイッチング装置の一方に並列接続されたスナバ回路と；
　第２の整流素子およびこの整流素子の出力を平滑するコンデンサを有してなり、前記一方のスイッチング装置がオンした場合には、前記スナバ回路のコンデンサの電荷が、前記一方のスイッチング装置、前記第１の整流素子および前記抵抗を介して放電し、前記スイッチング装置の他方がオンした場合には、前記スナバ回路のコンデンサおよび第２の整流素子を介して前記第２の整流素子の出力を平滑するコンデンサを充電し、電力を供給される補助電源装置電力を供給される補助電源装置と；
を具備したことを特徴とする電源装置。
【請求項３】請求項１または２に記載の電源装置に放電ランプを点灯させる放電灯点灯手段を接続したことを特徴とする放電灯点灯装置。
　【請求項４】器具本体内に請求項３記載の放電灯点灯装置を内蔵し、放電ランプを点灯させることを特徴とする照明装置。
　
４．引用例に記載の発明
　当審で通知した取消理由では、異議申立人の提示した証拠に基づき、以下の引用例を通知した。
（１）引用例１（甲第１号証）： 実願平１−８００２号（実開平２−１０３７９２号）のマイクロフィルム
　引用例１には、特に以下の記載が認められる。
イ．「直流電源Ｅと、この直流電源Ｅの出力に結合され少なくとも１個のスイッチング素子Ｑ１，Ｑ２を含み高周波出力電圧を発生するインバータ部Ａと、このスイッチング素子Ｑ１，Ｑ２のいずれかに並列に接続される第１、第２のスナバー回路部Ｆ１，Ｆ２と、前記高周波出力電圧に結合される負荷回路５と、前記スイッチング素子Ｑ１，Ｑ２をオン・オフ駆動する制御回路部Ｂと高周波出力電圧が発生するまでの所定期間平滑用コンデンサＣ２を充電して成る起動回路６とを備え、前記スナバー回路部Ｆ２に発生する電圧を前記制御回路部Ｂの駆動用電源としたものである。」（８頁４行から１５行）
ロ．「第２のスナバー回路部Ｆ２は、制御電源回路４を兼用して構成されており、その構成は、スイッチング素子Ｑ２の両端に接続されるコンデンサＣ４と抵抗Ｒ３と逆方向に接続される一方向性素子Ｄ１との直列回路と、この一方向性素子Ｄ１の両端に順方向に接続される平滑用コンデンサとＣ２と、この平滑用コンデンとＣ２両端に接続される定電圧ダイオードＺＤ１とから成るものである。」（９頁１から９行）
ハ．「このトランジスタＱ３がオン状態になると、直流電源Ｅから抵抗Ｒ４→オン状態のトランジスタＱ３→順方向のダイオードＤ３を介して平滑用コンデンサＣ２に充電電流が流れる。そして、定電圧ダイオードＺＤ１で制限される所定電圧Ｖ１まで平滑用コンデンサＣ２の両端電圧が上昇し制御回路１の電源となる。」（１０頁５行から１１行）
ニ．「（スイッチング素子Ｑ２がオフ状態の場合）
この場合には、スイッチング素子Ｑ２の両端にオン状態のスイッチング素子Ｑ１を介して直流電源Ｅの電圧が印加され、（第２図（ｂ）に示すVQ2）、この直流電圧VQ2がコンデンサＣ４と抵抗Ｒ３と平滑用コンデンサＣ１との直列回路に印加され、平滑用コンデンサＣ１が充電される。」（１０頁１４行から２０行）
ホ．「（スイッチング素子Ｑ２がオン状態の場合）
　この場合には、スイッチング素子Ｑ２の両端が短絡状態となるために、コンデンサＣ４に蓄積されていた電荷がコンデンサＣ４→オン状態のスイッチング素子Ｑ２→順方向のダイオードＤ１→抵抗Ｒ３の閉回路により放出される。この時のパルス状の放電電流は第２図(C)ＩＤ１により示される。
　以上のようなスイッチング素子Ｑ１，Ｑ２のオン・オフ動作により、第２のスナバー回路部Ｆ２を介して、平滑用コンデンサＣ２が充電されるのである。」（１１頁３行から１３行）
ヘ．「第２のスナバー回路Ｆ２を利用して平滑用コンデンサＣ２を充電しているので、新たな経路要素及び損失の増加のないインバータ装置を提供できる。」（１２頁５行から８行）
　以上の記載によれば、引用例１には、
「直流電源の出力端子間に互いに直列に設けられ交互にオンオフする一対のスイッチング素子を含むインバータ部Ａと、
この一対のスイッチング素子に並列に接続される第１、第２のスナバー回路部Ｆ１，Ｆ２と、前記スイッチング素子をオン・オフ駆動する制御回路部Ｂと、
前記スナバー回路部Ｆ２は、スイッチング素子Ｑ２の両端に接続されるコンデンサＣ４、抵抗Ｒ３と逆方向に接続されるダイオードＤ１との直列回路と、このダイオードＤ１の両端に順方向に接続されるダイオードＤ２を介して接続される平滑用コンデンサＣ２からなり、
前記スイッチング素子Ｑ２がオフした場合は、直流電源からオン状態の前記スイッチング素子Ｑ１，前記コンデンサＣ４、抵抗Ｒ４、ダイオードＤ２を介して平滑用コンデンサＣ２が充電され、前記スイッチング素子Ｑ２がオンした場合は、コンデンサＣ４に蓄積された電荷がコンデンサＣ４，オン状態のスイッチング素子Ｑ２，順方向のダイオードＤ１，抵抗Ｒ３の閉回路により放出されることにより、充電される制御回路電源を備えたインバータ装置。」の発明（以下「引用発明」という。）が記載されているものと認められる。
　
（２）引用例２（甲第２号証）： 特開平３−２３０４０６号公報
　引用例２の「第６図及び第７図に関する記載（３頁右下欄１９行から４頁右下欄１３行）によれば、
　ト．「電源装置としてインバータを備えるとともに、ランプを点灯するための点灯回路を備えてなる点灯装置。」
  チ．「上記点灯装置を内蔵し、ランプを点灯させる照明装置。」
　の各構成が記載されているものと認められる。
　
５．対比・判断
５．１　本件発明１について
　本件発明１と引用発明を対比すると、引用発明の「直流電源」は本件発明１の「直流電源装置」に相当し、以下同様に「スイッチング素子Ｑ１」は「他方のスイッチング装置」に、「スイッチング素子Ｑ２」は「一方のスイッチング装置」に、「ダイオードＤ１」は「第１の整流素子」に、「ダイオードＤ２」は「第２の整流素子」に、「平滑コンデンサＣ２」は「第２の整流素子の出力を平滑するコンデンサ」に、「制御回路電源」は「補助電源装置」に、「インバータ装置」は「電源装置」にそれぞれ相当し、引用発明の「スナバー回路部Ｆ２」が本件発明１の「スナバ回路」に対応するものと認められるから、
両者は、「直流電源装置の出力端間に互いに直列的に設けられ交互にオンオフする一対のスイッチング装置と；
　コンデンサ、抵抗および第１の整流素子を直列に含み、前記コンデンサを直流電源装置の正極側にするとともに、前記第１の整流素子の導通方向を前記スイッチング装置の導通方向と逆向きにして前記スイッチング装置の一方に並列接続されたスナバ回路と；
　第２の整流素子およびこの整流素子の出力を平滑するコンデンサを有してなり、前記一方のスイッチング装置がオンした場合には、前記スナバ回路のコンデンサの電荷が、前記一方のスイッチング装置、前記第１の整流素子および前記抵抗を介して放電し、電力を供給される補助電源装置電力を供給される補助電源装置と；
を具備したことを特徴とする電源装置。」で一致し、以下の点で相違する。
［相違点］
　本件発明１が「前記スイッチング装置の他方がオンした場合には、前記スナバ回路のコンデンサおよび第２の整流素子を介して前記第２の整流素子の出力を平滑するコンデンサを充電し」と規定しているのに対し、引用発明は「前記スイッチング素子Ｑ２がオフした場合は、直流電源からオン状態の前記スイッチング素子Ｑ１，前記コンデンサＣ４、抵抗Ｒ４、ダイオードＤ２を介して平滑用コンデンサＣ２が充電され」と規定し、平滑コンデンサＣ２に充電する際抵抗Ｒ４を介する点で相違する。  　
　
［相違点の検討]
上記相違点について検討する。
　スナバ回路の構成として、両者ともに正極側からコンデンサ、抵抗、第１の整流素子の直列回路を構成している点で一致するが、補助電源へ充電するための第２の整流素子の接続位置が本件発明１ではコンデンサと抵抗の間であるのに対し、引用発明では、抵抗と第１の整流素子の間である点で相違する。そして、この構成の相違により、補助電源への充電時に引用発明では生じてしまう抵抗での電力損失が、本件発明１では生じない点で一応の効果が認められる。
　しかしながら、引用例１の従来例として掲げられた第１図の構成において、スイッチング素子Ｑ１に並列に接続されているスナバ回路（Ｆ１０，Ｆ２０）のように、抵抗とコンデンサの直列回路から構成されるものが基本的なものとして知られている。該スナバー回路では、スイッチング素子がオフの場合に発生する高電圧によりコンデンサが充電される場合と、該コンデンサの電荷を放電する場合の両方の場合で、抵抗による電力損失が生じ、その損失が大きいことも知られている。
　そして、引用例１の第１図におけるスイッチング素子Ｑ１に並列に接続するスナバー回路部Ｆ１は上記基本的なスナバー回路であり、スイッチング素子Ｑ２に並列に接続するスナバー回路部Ｆ２は、該基本的なスナバー回路すなわちコンデンサと抵抗の直列回路にさらにダイオードを付加することにより構成されている。すなわち、引用発明のスナバー回路部Ｆ２は、コンデンサと抵抗の直列回路からなる基本的なスナバー回路の外部にダイオードＤ１，Ｄ２を設けることによりコンデンサ充電時の電流を利用して制御回路電源を充電するものに改良していると言える。　
　一方、スナバー回路には、このように単に抵抗とコンデンサを直列に接続するだけでなく、それらの接続点にダイオードを接続する点、及び、それによりコンデンサへの充電時に前記抵抗に充電電流が流れないようにしたものも、例えば、実願昭５５−１２２７９７号（実開昭５７−４７８８８号）のマイクロフィルム（第１図に関する記載）、実願昭５９−８９５０号（実開昭６０−１２１３３５号）のマイクロフィルム（第１図に関する記載）に記載されているように周知のものにすぎない。
　それ故、引用発明において、コンデンサと抵抗の直列回路で構成されたスナバー回路の外部にダイオードＤ２を接続し、かつ、制御回路電源を充電していた構成を、前記直列回路の内部、すなわち、コンデンサと抵抗の接続点に前記制御回路を充電していたダイオードＤ２を接続する構成とし、その結果、「前記スイッチング素子Ｑ１（本件発明１の「スイッチング装置の他方」に相当）がオンした場合には、前記スナバー回路のコンデンサおよびダイオードＤ２（本件発明１の「第２の整流素子」に相当）を介して前記ダイオードＤ２の出力を平滑するコンデンサＣ２を充電する」構成を得ること、すなわちスナバー回路のコンデンサの充電電流により制御回路電源を充電する時には、スナバー回路の直列抵抗に電流が流れないようにすることに、格別の困難性が認められない。
　 
５．２　本件発明３について
　本件発明３は、請求項１に係る発明（または請求項２に係る発明）に、さらに「放電ランプを点灯させる放電灯点灯手段を接続したこと」との構成を付加したものであるが、このような構成は引用例２（上記４．（２）ト．参照）に記載されているように周知の技術にすぎないと認められるので、本件発明１を引用例１に基づいて発明する際、さらに、このような構成を付加することは、当業者が必要に応じて適宜実施し得ることにすぎないと認められる。
 したがって、本件発明３は、引用例１記載の発明及び引用例２に記載の周知技術に基づいて容易に当業者が発明をすることができたものである。
　
５．３　本件発明４について
　本件発明４は、請求項３に係る発明にさらに構成を付加して「器具本体内に請求項３記載の放電灯点灯装置を内蔵し、放電ランプを点灯させることを特徴とする照明装置。」としたものであるが、このような構成は、引用例２（上記４．（２）チ．参照）に記載されているように周知の技術にすぎないと認められるので、本件発明３を引用例１に基づいて発明する際、さらに、このような構成を付加することは、当業者が必要に応じて適宜実施し得ることにすぎないと認められる。
　したがって、本件発明４は、引用例１に記載の発明及び引用例２に記載の周知技術に基づいて当業者が容易に発明をすることができたものである。
　
６．むすび
　　以上のとおり、本件発明１、３，４は、特許法第２９条第２項の規定に違反してされたものである。
　したがって、本件発明１，３，４についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１６年５月１３日（２００４．５．１３）
【訂正の要旨】
審決（決定）の【理由】欄参照。
（５４）【発明の名称】
電源装置、放電灯点灯装置および照明装置
（５７）【特許請求の範囲】
　【請求項１】直流電源装置の出力端間に互いに直列的に設けられ交互にオンオフする一対のスイッチング装置と；
　コンデンサ、抵抗および第１の整流素子を直列に含み、前記コンデンサを直流電源装置の正極側にするとともに、前記第１の整流素子の導通方向を前記スイッチング装置の導通方向と逆向きにして前記スイッチング装置の一方に並列接続されたスナバ回路と；
　第２の整流素子およびこの整流素子の出力を平滑するコンデンサを有してなり、前記一方のスイッチング装置がオンした場合には、前記スナバ回路のコンデンサの電荷が、前記一方のスイッチング装置、前記第１の整流素子および前記抵抗を介して放電
し、前記スイッチング装置の他方がオンした場合には、前記スナバ回路のコンデンサおよび第２の整流素子を介して前記第２の整流素子の出力を平滑するコンデンサを充電し、
を具備したことを特徴とする電源装置。
　【請求項２】インダクタ装置、第１のスイッチング装置およびこの第１のスイッチング装置の発振制御装置を有するチョッパ回路と；
　第２のスイッチング装置、この第２のスイッチング装置を始動させる始動回路および前記第２のスイッチング装置に並列的に設けられたスナバ回路を有し、自己の出力の一部を帰還して発振する自励形のインバ−タ回路と；
　このインバ−タ回路の出力を制御可能な出力制御装置と；
　このインバ−タ回路の出力にて付勢される負荷と；
　前記インバ−タ回路の前記第２のスイッチング装置がオンした場合には、前記スナバ回路のコンデンサの電荷が、前記第２のスイッチング装置、前記第１の整流素子および前記抵抗を介して放電することにより、前記スナバ回路から電力を取出し少なくとも前記発振制御装置に電力供給する相対的に小容量な第１の補助電源装置と；
　前記インダクタ装置から電力を取出し前記発振制御装置および前記出力制御装置に電力供給する相対的に大容量な第２の補助電源装置と；
を具備したことを特徴とする電源装置。
　【請求項３】請求項１または２に記載の電源装置に放電ランプを点灯させる放電灯点灯手段を接続したことを特徴とする放電灯点灯装置。
　【請求項４】器具本体内に請求項３記載の放電灯点灯装置を内蔵し、放電ランプを点灯させることを特徴とする照明装置。
【発明の詳細な説明】
　【産業上の利用分野】本発明は、直流電圧をスイッチング装置を用いて高周波電圧に変換するインバータ回路を有する電源装置、放電灯点灯装置および照明装置に関する。
　【従来の技術】従来、この種電源装置は各種のものが知られている。また、近時、入力力率を高めながら入力電流の歪も小さく抑える目的から、昇圧チョッパとインバ−タとを組合わせてなる電源装置も提案されている。このような電源装置としては、例えば図７に示すような構成のものが知られている。同図に示す回路は、図示しない電源に接続されたインダクタＬ１、スイッチング装置ＳおよびダイオードＤ１を有するチョッパ回路１に、平滑用のコンデンサＣを介してインバータ４が接続されている。そして、インダクタＬ１に２次巻線Ｌ２を設け、この２次巻線Ｌ２にコンデンサＣ１、コンデンサＣ３、ダイオードＤ２、ダイオードＤ４、および抵抗Ｒ２を接続して第１の補助直流電源装置を構成している。そしてこの第１の補助直流電源装置にチョッパ制御回路２およびインバータ制御回路３が接続され、インバータ制御回路３は起動用の抵抗Ｒ１を介して電源にも接続されている。
　一方、インバータ回路４は、ハーフブリッジ形の２つのスイッチング素子Ｑ１，Ｑ２を有しており、これらスイッチング素子Ｑ１，Ｑ２のうちの一方のスイッチング素子Ｑ２には、コンデンサＣ４およびダイオードＤ５からなるスナバ回路が設けられている。このスナバ回路のコンデンサＣ４とダイオードＤ５との中間からは、ダイオードＤ６およびコンデンサＣ５を介してチョッパ制御回路２に電力を供給するようになっている。すなわち、前記ダイオードＤ６およびコンデンサＣ５は第２の補助直流電源装置を構成している。
　そして、電源が投入されると、起動用の抵抗Ｒ１を介してインバータ制御回路３が起動し、インバータ回路４の動作により前記スナバ回路、ダイオードＤ６およびコンデンサＣ５（第２の補助直流電源装置）を介して電力を供給されてチョッパ制御回路２が動作し、チョッパ回路１が起動する。その後、チョッパ回路１におけるインダクタＬ１の２次巻線Ｌ２出力によりチョッパ制御回路２およびインバータ制御回路３を動作させ、チョッパ制御回路２およびインバータ制御回路３を駆動している。
　ところが、同図に示す従来例の場合には制御回路の消費電流が増加すると、スナバ回路を構成し、かつ、電源インピーダンスとなるコンデンサＣ４の容量を増加させなければならなくなる。しかしながら、コンデンサＣ４の容量を増加させると、インバータ回路４のスイッチング素子Ｑ２がオフ時にコンデンサＣ４に蓄積される電荷が多くなり、スイッチング素子Ｑ２がオンのときに、図６にスイッチング素子Ｑ２の電流波形を示すように、急峻な過電流成分が発生し、スイッチング動作に異常を来す虞がある。
　また、図７のものは、起動用の抵抗Ｒ１を介して電源からインバ−タ制御回路に電力を供給するようにしているため、この起動用の抵抗Ｒ１による出力損失が大きいという問題がある。そして、図７の電源装置の立上がり時間を速くしようとすると、前記起動用の抵抗Ｒ１の抵抗値を小さくする必要があり、この場合、一層電力損失が増加する。
　【発明が解決しようとする課題】上述のように、図７に示す従来の場合には、制御回路の電源インピーダンスを増加させると、インバータ回路のスイッチング素子のスイッチング動作に異常を来す虞があった。また、電力損失が比較的大きいという問題もある。
　そこで本発明は、上記のような不都合を解消するものであり、インバータ回路のスイッチング素子のスイッチング動作の異常を誘発することなく、制御回路に必要な電力を供給でき、また、電力損失の軽減も可能な電源装置、放電灯点灯装置および照明装置を提供することを目的とする。
　【課題を解決するための手段】上記の目的を達成するため、請求項１に記載の発明は、直流電源装置の出力端間に互いに直列的に設けられ交互にオンオフする一対のスイッチング装置と、コンデンサ、抵抗および第１の整流素子を直列に含み、前記コンデンサを直流電源装置の正極側にするとともに、前記第１の整流素子の導通方向を前記スイッチング装置の導通方向と逆向きにして前記スイッチング装置の一方に並列接続されたスナバ回路と、第２の整流素子およびこの整流素子の出力を平滑するコンデンサを有してなり、前記一方のスイッチング装置がオンした場合には、前記スナバ回路のコンデンサの電荷が、前記一方のスイッチング装置、前記第１の整流素子および前記抵抗を介して放電
し、前記スイッチング装置の他方がオンした場合には、前記スナバ回路のコンデンサおよび第２の整流素子を介して前記第２の整流素子の出力を平滑するコンデンサを充電し、
　請求項２に記載の発明は、インダクタ装置、第１のスイッチング装置およびこの第１のスイッチング装置の発振制御装置を有するチョッパ回路と、第２のスイッチング装置、この第２のスイッチング装置を始動させる始動回路および前記第２のスイッチング装置に並列的に設けられたスナバ回路を有し、自己の出力の一部を帰還して発振する自励形のインバ−タ回路と、このインバ−タ回路の出力を制御可能な出力制御装置と、このインバ−タ回路の出力にて付勢される負荷と、前記インバ−タ回路の前記第２のスイッチング装置がオンした場合には、前記スナバ回路のコンデンサの電荷が、前記第２のスイッチング装置、前記第１の整流素子および前記抵抗を介して放電することにより、前記スナバ回路から電力を取出し少なくとも前記発振制御装置に電力供給する相対的に小容量な第１の補助電源装置と、前記インダクタ装置から電力を取出し前記発振制御装置および前記出力制御装置に電力供給する相対的に大容量な第２の補助電源装置と、を具備したことを特徴とする電源装置である。
　また、請求項３に記載の発明の放電灯点灯装置は、請求項１または２記載の電源装置に放電ランプを点灯させる放電灯点灯手段を接続したことを特徴とする。
　さらに、本発明の照明装置は、器具本体内に上記放電灯点灯装置を内蔵し、放電ランプを点灯させることを特徴とする。
　【作用】請求項１記載の発明によれば、スナバ回路を構成する直列回路には抵抗が介挿されているため、コンデンサが放電するときの急峻な過電流成分を抑制できるため、そのコンデンサの容量を大きくすることが可能になり、よって、補助直流電源装置の電源インピーダンスを低下させることができる。
　請求項２記載の発明によれば、チョッパ回路の発振制御装置、インバ−タ回路の出力制御装置のいずれにも図７のような起動用の抵抗が不要である。電源を投入することにより、インバ−タ回路の第２のスイッチング装置が始動回路により始動し、その後自己の出力により自励発振する。これにより、スナバ回路に電圧が発生し、第１の補助電源装置はこの電圧に応じてチョッパ回路の発振制御装置に電力を供給する。チョッパ回路の発振制御装置が作動すると、チョッパ回路は所定の出力を発生するようになり、インダクタにも所定の電圧が発生するから、これ以降は主として第２の補助電源装置から前記発振制御装置および出力制御装置に電力を供給する。
　請求項３に記載の発明は、上記１または２記載の発明の電源装置にて放電灯が点灯される。
　請求項４に記載の発明は、上記３記載の発明の放電灯点灯装置にて放電灯が点灯される照明器具となる。
　【実施例】以下，図面を用いて本発明の実施例を説明する。
　図２において、１１は器具本体で、この器具本体１１の下面には反射面が形成され、この反射面の両端にランプソケット１２，１２が取り付けられ、これらランプソケット１２，１２間には放電ランプＦＬが接続されている。また器具本体１１には図１に示す回路が内蔵されている。
　図１に示すように、商用交流電源Ｅに全波整流器２１が接続され、この全波整流器２１には力率改善、高調波対策用の昇圧チョッパ回路２２が接続されている。この昇圧チョッパ回路２２は、インダクタＬ１１、スイッチング装置Ｑ１１としての電界効果トランジスタおよびダイオードＤ１１にて構成されている。
　そして、この昇圧チョッパ回路２２の出力端子には、平滑用のコンデンサＣ１１を介して、高周波変換用のインバータ回路２３が接続されている。
　このインバータ回路２３は、ハーフブリッジ形に設けられたスイッチング装置Ｑ１２、Ｑ１３としてのトランジスタを主として構成され、このスイッチング装置Ｑ１２のベース、エミッタ間には、たとえば可飽和形である変流器Ｔｒ１の制御巻線Ｔｒ１ｂが接続され、スイッチング装置Ｑ１３のベース、エミッタ間には、変流器Ｔｒ１の制御巻線Ｔｒ１ｃが接続され、スイッチング装置Ｑ１２のエミッタおよびスイッチング装置Ｑ１３のコレクタ間と全波整流器２１の負極との間には、変流器Ｔｒ１の入力巻線Ｔｒ１ａが接続されている。
　さらに、インバータ回路２３には、直流カット用のコンデンサＣ１２およびチョークコイルＬ１２を介して放電ランプＦＬのフィラメントが接続され、これらフィラメントの非電源側端子間には、始動用のコンデンサＣ１３が接続されている。
　また、昇圧チョッパ回路２２のインダクタＬ１１には出力巻線Ｌ１３が磁気的に結合され、この出力巻線Ｌ１３の一端は全波整流器２１の負極に接続され、他端はダイオードＤ１２およびコンデンサＣ１４を介して前記負極に接続されている。そしてこれらダイオードＤ１２およびコンデンサＣ１４の接続点には、昇圧チョッパ回路２２のスイッチング装置Ｑ１１を制御する発振制御装置２４が接続されている。
　一方、スイッチング装置Ｑ１３には、コンデンサＣ１５、限流抵抗Ｒ１２および第１の整流素子Ｄ１５としてのダイオードからなるスナバ回路が図示の関係接続されている。このスナバ回路のコンデンサＣ１５と抵抗Ｒ１２との中点には、第２の整流素子Ｄ１３としてのダイオードが接続され、さらに、この第２の整流素子Ｄ１３の出力を平滑するコンデンサＣ１７が設けられている。この第２の整流素子Ｄ１３およびコンデンサＣ１７は補助電源装置を形成している。そして、この補助直流電源装置の出力はインバータ２３の出力を制御する出力制御回路２５に供給されるようになっている。前記出力制御装置２５は、本実施例では前記変流器Ｔｒ１を制御し、もって、変流器Ｔｒ１の飽和時間、スイッチング装置Ｑ１２、Ｑ１３のスイッチング周波数を変化させて出力を変化させるものである。
　さらに、この補助直流電源装置の出力は、抵抗Ｒ１１およびダイオードＤ１５を介してチョッパの発振制御装置２４に供給されるようになされている。
　なお、図１では省略したが、図７のような起動用の抵抗、あるいは周知のインバ−タ２３始動回路が適宜設けられる。
　次に、上記図１に示す回路の実施例の動作について説明する。まず、商用交流電源Ｅの電圧を全波整流器２１で全波整流し、昇圧チョッパ回路２２では、スイッチング装置Ｑ１１が動作していないため昇圧動作せず、前記起動用の抵抗、あるいは周知のインバ−タ２３始動回路により、先にインバータ２３が作動する。このインバータ２３が動作すると、スナバ回路のコンデンサＣ１５を介して補助直流電源装置が充電され、出力制御装置２５に電力を供給するとともに、発振制御装置２４にも電力を供給する。これにより、発振制御装置２４は昇圧チョッパ回路２２を動作させる。そして、昇圧チョッパ回路２２が動作を始めると、この昇圧チョッパ回路２２のインダクタＬ１１に設けられた出力巻線Ｌ１３出力により、発振制御装置２４に電力が供給される。
　その後、昇圧チョッパ回路２２により、力率を向上させるとともに、高調波を抑制して昇圧し、インバータ２３で高周波に変換して放電ランプＦＬを高周波点灯させる。
　ここで、出力制御装置２５および発振制御装置２４の電源を構成するスナバ回路および補助直流電源装置の動作について説明すると、図３に示すようにインバータ２３のスイッチング装置Ｑ１２およびＱ１３が交互にスイッチングして、同図（ａ）に示すように、スイッチング装置Ｑ１２がオン、スイッング装置Ｑ１３がオフのとき、コンデンサＣ１５をおよび第２の整流素子Ｄ１３を介してコンデンサＣ１７を充電するとともに、各制御装置２５、２４に電力を供給する。また、同図（ｂ）に示すように、インバータ２３のスイッチング装置Ｑ１２がオフ、スイッチング装置Ｑ１３がオンした場合には、コンデンサＣ１５の電荷はスイッチング装置Ｑ１３、第１の整流装置Ｄ１５および限流抵抗Ｒ１２を介した閉ループで放電されるため、その限流抵抗Ｒ１２により、コンデンサＣ１５が放電するときの急峻な過電流成分の発生を抑制する。
　したがって、インバータのスイッチング素子の異常動作を来すことなくコンデンサＣ１５の容量を大きくすることが可能で、補助直流電源装置の電源インピーダンスを低下させることができるようになる。
　また、この図１に示すようにインバータ２３を必ず先に動作させると、昇圧チョッパ回路２２が軽負荷により必要以上に電圧が上昇することがなくなり、信頼性が向上するという利点がある。
　なお、本実施例では、補助直流電源装置の電力を主としてインバ−タの出力制御装置に供給するものであったが、この他、主としてチョッパの発振制御装置に供給するもの、主として両方に供給するもの、あるいはそれ以外のものに供給するものであってもよいものである。また、この発明においては、チョッパとの組合せを必須とするものでもない。
　次に、他の実施例を図４を用いて説明する。
　同図に示す回路は、図１に示した回路において、インダクタＬ１１の出力巻線をなくし、昇圧チョッパ２２の始動後も、発振制御装置２４は補助直流電源装置の出力により動作されるものである。
　したがって、同図に示した回路の場合も、インバータ２３が必ず先に動作するので、昇圧チョッパ２２が軽負荷により必要以上に電圧が上昇することがなくなり、信頼性が向上するという利点がある。
　図５を参照して他の実施例を説明する。図１と同じあるいは対応する部分には同じ符号を付して説明を省略する。本実施例におけるインバ−タ３０は主として自己の出力の一部を帰還して発振する自励形のものであり、図１のものと同様に変流器Ｔｒ１を有している。また、始動回路３１を有している。この始動回路３１は、時定数回路ＣＲ、トリガ素子Ｔ等にて構成されるもので、それ自体は周知のものである。そして、この始動回路３１の電流は図７の起動用抵抗に比し小さくてよいから、この始動回路３１による電力損失はわずかである。さらに、図１あるいは図６のもののように、第２のスイッチング装置Ｑ１３としてのトランジスタと並列的にスナバ回路を設け、このスナバ回路から電力を取出す第１の補助電源装置３２を有している。この第１の補助電源装置３２はチョッパ２２の発振制御装置２４に対し、電力を供給するようになっている。そして、この第１の補助電源装置３２は、後述する第２の補助電源装置３３との関係において、相対的に小容量の電源装置を構成する。
　チョッパ２２のインダクタＬ１１には、図１のものと同様に出力巻線Ｌ１３を設け、この出力巻線Ｌ１３の出力を整流、平滑して第２の補助電源装置３３を構成している。そして、この第２の補助電源装置３３は前記第１の補助電源装置３２より相対的に大きい容量に構成されており、前記発振制御装置２４、出力制御装置２５に電力を供給する。本実施例において、第１の補助電源装置３２と第２の補助電源装置３３とは、平滑用のコンデンサＣ１８を共用している。
　本実施例の作用を図６を参照して説明する。電源Ｅをｔ１にて投入する（図６（ａ））ことにより、インバ−タ３０のスイッチング装置Ｑ１３が始動回路３１により始動し、その後自己の出力により自励発振する（図６（ｃ））。これにより、スナバ回路に電圧が発生し、第１の補助電源装置３２の電圧（Ｃ１８の電圧）がチョッパ２２の発振制御装置２４の作動電圧Ｖｃに達すると（図６（ｄ））、発振制御装置２４が作動し、チョッパ２２は所定の出力を発生するようになり（図６（ｂ））、インダクタＬ１１にも所定の電圧が発生するから、これ以後は主として第２の補助電源装置３３から前記発振制御装置２４および出力制御装置２５に電力を供給する。また、これにより、出力制御装置２５も作動可能電圧を供給されるようになる。
　【発明の効果】以上説明したように請求項１に記載の発明によれば、補助直流電源装置に電力を供給するスナバ回路には抵抗が介挿されているため、コンデンサが放電するときの急峻な過電流成分を抑制できるため、そのコンデンサの容量を大きくすることが可能で、よって、補助直流電源装置の電源インピーダンスを低下させることができる。
　請求項２に記載の発明によれば、起動用抵抗を不要にでき、したがって、電力損失を低減できる。
　請求項３に記載の発明は、上記１または２記載の発明の電源装置にて放電灯を点灯することにより、上記した効果を奏する放電灯点灯装置を提供できる。
　請求項４に記載の発明は、上記３記載の発明の放電灯点灯装置にて放電灯が点灯される照明器具を提供できる。
【図面の簡単な説明】
　【図１】本発明の放電灯点灯装置の一実施例を示す回路図である。
　【図２】同上照明装置の外観を示す斜視図である。
　【図３】実施例における回路動作を示す説明図である。
　【図４】本発明の放電灯点灯装置の他の実施例を示す回路図である。
　【図５】本発明の放電灯点灯装置のさらに他の実施例を示す回路図である。
　【図６】図５に示す実施例の作用を説明する図である。
　【図７】従来の放電灯点灯装置を示す回路図である。
　【図８】図７に示す回路の波形図である。
　【符号の説明】
　２２…昇圧チョッパ、　２３…インバータ、　２４…発振制御装置、　２５…出力制御装置、　３１…始動回路、　３２…第１の補助直流電源装置、　３３…第２の補助直流電源装置、　ＦＬ…放電ランプ、　Ｃ１５…コンデンサ、　Ｄ１５…ダイオード、　Ｒ１１…抵抗。